(57)【特許請求の範囲】
【請求項１】
空気中の埃を除去するフィルターと、第１の除去部材を有し前記フィルターの左右いずれかの一端から他端まで前記第１の除去部材を前記フィルターに接触させつつ移動させることにより、前記フィルターに付着した前記埃を掻き寄せる可動式埃除去部と、前記フィルターの前記他端側に設けられ前記第１の除去部材とこすり合わせることにより、前記第１の除去部材により掻き寄せられた前記埃を前記第１の除去部材から離脱させる第２の除去部材を有する固定式埃除去部を設け、前記固定式埃除去部は、前記第１および第２の除去部材をこすり合わせて離脱させた前記埃を収集するダクトを備え、前記ダクトと連結され、前記可動式埃除去部と前記ダクトとを密着させることにより形成される空気流通路を通じて前記埃を吸引する吸引装置を具備したことを特徴とする空気調和機。
【請求項２】
前記固定式埃除去部が、前記フィルターの前記他端側の前記フィルターを保持する枠に設けられることを特徴とする請求項１の空気調和機。
【請求項３】
前記第１および第２の除去部材がブラシであることを特徴とする請求項１の空気調和機。
【発明の詳細な説明】
【技術分野】
【０００１】
本発明は、エアフィルターの清掃を自動的に行うようにした空気調和機に関するものである。
【背景技術】
【０００２】
従来、空気調和機のフィルター装置は、熱交換器の上流側に、熱交換器および、空気調和機内部への埃の侵入を防止するために、エアフィルターが配置されている。エアフィルターは自由に着脱することができ、取り外してエアフィルターに付着した埃を掃除しやすくなっている。
【０００３】
このような構成のフィルター装置では、頻繁なメンテナンスを必要とし、メンテナンスが行われるまでの間には、埃によってエアフィルターが徐々に目詰まりしてゆき、その結果、熱交換器を通過する風量も徐々に低下し、消費電力の増大に繋がる。
【０００４】
このため、フィルターのメンテナンスの手間を低減する目的で、エアフィルターに付着した埃をブラシにて定期的に清掃する自動清掃装置が考案されている（例えば特許文献１〜２参照）。
【特許文献１】特開２００１−９９４７９号公報
【特許文献２】特開２００５−２４１３５号公報
【発明の開示】
【発明が解決しようとする課題】
【０００５】
しかしながら、前記従来の構成では、たまった埃を人手により捨てる必要があり、メンテナンスの手間が大幅に軽減されるものではなかった。
【０００６】
こうした観点から、エアフィルターの自動清掃装置としては、フィルターに付着した埃をブラシで掻き落とした後、吸引清掃し、吸引された埃を集塵装置に集塵もしくは室外へ排出する清掃方法が好ましい。
【０００７】
本発明は、前記従来の課題を解決するものであり、空気調和機のメンテナンスの煩わしさを大幅に低減するフィルター装置を提供するものである。
【課題を解決するための手段】
【０００８】
従来の課題を解決するために、本発明の空気調和機は、空気中の埃を除去するフィルターと、第１の除去部材を有し前記フィルターの左右いずれかの一端から他端まで前記第１の除去部材を前記フィルターに接触させながら移動させることにより、前記フィルターに付着した前記埃を掻き寄せる可動式埃除去部と、前記フィルターの前記他端側に設けられ前記第１の除去部材とこすり合わせることにより、前記第１の除去部材により掻き寄せられた前記埃を前記第１の除去部材から離脱させる第２の除去部材を有する固定式埃除去部とを備えたものである。
【０００９】
そして、前記固定式埃除去部が、前記第１および第２の除去部材をこすり合わせて離脱させた前記埃を収集するダクトをさらに備えたものである。
【００１０】
さらに、前記ダクトと連結され、前記固定式埃除去部と前記ダクトとを密着させることにより形成される空気流通路を通じて前記埃を吸引する吸引装置をさらに備えたものである。
【００１１】
この構成によれば、フィルターの表面に付着した粉塵を、自動的に除去するとともに、吸引装置で吸引して、集塵装置に集塵もしくは屋外へ排出することが可能になる。
【発明の効果】
【００１２】
本発明のフィルター装置は、空気調和機の利用者の定期的なメンテナンスの負担を低減
でき、同時に長期間の運転に対する性能の低下を抑えることが可能な空気調和機を提供することが出来る。
【発明を実施するための最良の形態】
【００１３】
第１の発明は、空気中の埃を除去するフィルターと、第１の除去部材を有し前記フィルターの左右いずれかの一端から他端まで前記第１の除去部材を前記フィルターに接触させながら移動させることにより、前記フィルターに付着した前記埃を掻き寄せる可動式埃除去部と、前記フィルターの前記他端側に設けられ前記第１の除去部材とこすり合わせることにより、前記第１の除去部材により掻き寄せられた前記埃を前記第１の除去部材から離脱させる第２の除去部材を有する固定式埃除去部とを備えたものである。
【００１４】
第２の発明は、第１の発明において、前記固定式埃除去部が、前記第１および第２の除去部材をこすり合わせて離脱させた前記埃を収集するダクトをさらに備えたものである。
【００１５】
第３の発明は、第１の発明において、前記ダクトと連結され、前記固定式埃除去部と前記ダクトとを密着させることにより形成される空気流通路を通じて前記埃を吸引する吸引装置をさらに備えたものである。
【００１６】
これらの構成によれば、フィルターの表面に付着した粉塵を、自動的に除去するとともに、吸引装置で吸引して、集塵装置に集塵もしくは屋外へ排出することが可能になる。
【００１７】
こうすることにより、本発明のフィルター装置は、空気調和機の利用者の定期的なメンテナンスの負担を低減でき、同時に長期間の運転に対する性能の低下を抑えることが可能な空気調和機を提供することが出来る。
【００１８】
以下、本発明の実施の形態について図面を参照しながら説明する。なお、この実施の形態によって本発明が限定されるものではない。
【００１９】
（実施の形態１）
図１は本発明の実施の形態１におけるフィルター装置１の斜視図であり、図２は図１におけるＡ−Ａ断面であり、図３は図１におけるＢ−Ｂ断面である。
【００２０】
図１において、フィルターワク７には、熱交換器を通過する空気中の埃を除去するエアフィルター２と、可動式埃除去部８を備え、可動式埃除去部８は、フィルターワク７の上下端に設置したガイドレール６に図２に示すようなローラー１１を介して支持されており、左右に移動することが可能な構成となっている。ここで可動式埃除去部８はフィルターワク７の下部に備えたワイヤー３と駆動モーター４で、左右に駆動される。
【００２１】
可動式埃除去部８は、図２および図３に示すような除去部材１２を備えている。
この除去部材１２は例えば毛足の先端が図３のようにフィルター２の表面に対して斜め方向に向いたブラシの様なものが好ましい。固定式埃除去部１３は、図１に示す様に、フィルターワク７に固定されており、除去部材１４を備えている。
【００２２】
この除去部材１４も例えば図３に示す様に、毛足の先端が図３のようにフィルター２の表面に対して斜め方向に向いたブラシの様なものが好ましい。
【００２３】
図１に示す様に、ダクト１５は、吸引口１６と空気流入口１７を備えている。
【００２４】
吸引装置９は吸引口１６でダクト１５と連結されており、また、屋外へ引回される排気ダクト１０が連結されている。また、図３に示す様に、ダクト１５は、シール材１８も備
えている。
【００２５】
以上のように構成されたフィルター装置１について、以下その動作、作用を説明する。フィルター装置１の動作停止時は、可動式埃除去部８はフィルターワク７の右端で待機しているものとする。
【００２６】
フィルター装置１を作動させると、可動式埃除去部８は、除去部材１２でエアフィルター２に付着した埃を掻き寄せながら左方向へ移動してゆく。
【００２７】
可動式埃除去部８の除去部材１２と、固定式埃除去部１３の除去部材１４とが接触する場所で、可動式埃除去部を数回左右に往復させる。
【００２８】
こうすることにより、可動式埃除去部８の除去部材１２に付着した埃は、固定式埃除去部１３の除去部材１４との相互作用で、可動式埃除去部８の除去部材１２から離脱することとなる。
【００２９】
可動式埃除去部８をさらに、左方向へ進めると、可動式埃除去部８が、ダクト１５に備えられた、シール材１８に密着することとなる。
【００３０】
そうすることで、可動式埃除去部８とダクト１５より、空気流通路が形成される。この状態で、吸引装置９を作動させると、ダクト１５に設けられた空気流入口１７から空気が流入し、この流入する空気の勢いにより、ダクト１５内の埃が吸引口１６を通過して、吸引装置９へ吸引される。吸引された埃は、排気ダクト１０を通過して、屋外へ排出されることとなる。
【００３１】
これにより、フィルターの表面に付着した粉塵を、自動的に除去することが可能となり、空気調和機の利用者の定期的なメンテナンスの負担を低減でき、同時に長期間の運転に対する性能の低下を抑えることが可能な空気調和機を提供することが出来る。
【００３２】
尚、本実施例では、可動式埃除去部８をフィルターワク７に沿って左右に移動させたが、フィルターファク７に沿って上下に移動させてもかまわない。
【産業上の利用可能性】
【００３３】
以上のように、本発明にかかる空気調和機のフィルター装置は、エアフィルターに付着した埃を自動的に清掃できるメンテナンス性を備えており、空気清浄機や制御盤などの空気中の埃を集塵するエアフィルターを装着した機器に適用できる。
【図面の簡単な説明】
【００３４】
【図１】本発明の実施の形態１におけるフィルター装置の斜視図
【図２】本発明の実施の形態１におけるフィルター装置の断面図（図１のＡ−Ａ断面    ）
【図３】本発明の実施の形態１におけるフィルター装置の断面図（図１のＢ−Ｂ断面    ）
【図４】本発明の実施の形態１における空気調和機の断面図（図５のＩ−Ｉ断面）
【図５】本発明の実施の形態１における空気調和機の正面図
【符号の説明】
【００３５】
１  フィルター装置
２  エアフィルター
３  ワイヤー
４  駆動モーター
５  プーリー
６  ガイドレール
７  フィルターワク
８  可動式埃除去部
９  吸引装置
１０  排気ダクト
１１  ローラー
１２  除去部材
１３  固定式埃除去部
１４  除去部材
１５  ダクト
１６  吸引口
１７  空気流入口
１８  シール材
１９  熱交換器
２０  ファン
２１  風回路
２２  吹き出し口
２３  本体
【図１】
0004428333.tif 000002
【図２】
0004428333.tif 000003
【図３】
0004428333.tif 000004
【図４】
0004428333.tif 000005
【図５】
0004428333.tif 000006